(57)【要約】【課題】  より深く耕耘することができるようにすることを目的とする。【解決手段】  爪軸９の両端を支持する伝動ケース１６とサイドフレーム１８の各下方に設けられ、かつ、耕耘時に地表面に接地可能なそり部材２を有するロータリ耕耘機のスキッドにおいて、前記そり部材２の前部に、接地面部５より下方まで突出して土掘りをする深堀部材６を設けている深堀部材６は、平板を屈曲させて、そり部材２に取付ける取付部６ａと、この取付部６ａから前下り傾斜したすき部６ｂとを形成している。【選択図】図１
2014226125.tif 000002
【特許請求の範囲】
【請求項１】
爪軸（９）の両端を支持する伝動ケース（１６）とサイドフレーム（１８）の各下方に設けられ、かつ、耕耘時に地表面に接地可能なそり部材（２）を有するロータリ耕耘機のスキッドにおいて、
前記そり部材（２）の前部に、接地面部（５）より下方まで突出して土掘りをする深堀部材（６）を設けていることを特徴とするロータリ耕耘機のスキッド。
【請求項２】
前記深堀部材（６）は、平板を屈曲させて、そり部材（２）に取付ける取付部（６ａ）と、この取付部（６ａ）から前下り傾斜したすき部（６ｂ）とを形成していることを特徴とする請求項１に記載のロータリ耕耘機のスキッド。
【請求項３】
前記そり部材（２）は前部に上方へ反った前反り部（４）を有し、この前反り部（４）に前記深堀部材（６）を着脱自在に取付けていることを特徴とする請求項１又は２に記載のロータリ耕耘機のスキッド。
【請求項４】
前記そり部材（２）の前部に、圃場作物を爪軸（９）の左右外側方へ案内するガイド部材（７）を設けていることを特徴とする請求項１〜３のいずれか１項に記載のロータリ耕耘機のスキッド。
【発明の詳細な説明】
【技術分野】
【０００１】
本発明は、耕深調整用のロータリ耕耘機のスキッドに関する。
【背景技術】
【０００２】
ロータリ耕耘機のスキッドとして、特許文献１の図４に開示されているように、スキッドは、前後端部が上方に反ったそり形状とされ、中央部には取付用ブラケットを有しており、この取付用ブラケットをチェーンケースの外側板に、高さ調節自在に取付けられている。
【先行技術文献】
【特許文献】
【０００３】
【特許文献１】実開平４−７６８１号公報
【発明の概要】
【発明が解決しようとする課題】
【０００４】
特許文献１のロータリ耕耘機のスキッドでは、スキッドが地表面に接地すると、その位置での耕耘深さを保ち、一定深さの耕耘作業ができるが、それ以上の深耕ができず、圃場を更に深く耕耘することは困難であった。
本発明は、このような従来技術の問題点を解決できるようにしたロータリ耕耘機のスキッドを提供することを目的とする。
【０００５】
本発明は、スキッドの前部に土掘りをする深堀部材を設けることにより、より深く耕耘することができるようにしたロータリ耕耘機のスキッドを提供することを目的とする。
【課題を解決するための手段】
【０００６】
本発明における課題解決のための具体的手段は、次の通りである。
第１に、爪軸の両端を支持する伝動ケースとサイドフレームの各下方に設けられ、かつ、耕耘時に地表面に接地可能なそり部材を有するロータリ耕耘機のスキッドにおいて、
前記そり部材の前部に、接地面部より下方まで突出して土掘りをする深堀部材を設けていることを特徴とする。
【０００７】
第２に、前記深堀部材は、平板を屈曲させて、そり部材に取付ける取付部と、この取付部から前下り傾斜したすき部とを形成していることを特徴とする。
第３に、前記そり部材は前部に上方へ反った前反り部を有し、この前反り部に前記深堀部材を着脱自在に取付けていることを特徴とする。
第４に、前記そり部材の前部に、圃場作物を爪軸の左右外側方へ案内するガイド部材を設けていることを特徴とする。
【発明の効果】
【０００８】
本発明の請求項１に係る発明は、深堀部材がそり部材の前部に設けられ、この深堀部材の先端がそり部材の接地面部より下方まで突出していることにより、耕耘作業する際にそり部材が地表面に接地する前に、深堀部材が地表面を削りとるため、スキッドが深くもぐり込み、スキッドをロータリ耕耘機に取付けている場合であっても、地表面より深くまで耕耘作業をすることができる。
【０００９】
請求項２に係る発明は、深堀部材は、そり部材に取付ける取付部と、この取付部から前下り傾斜したすき部とを形成しているため、ロータリ耕耘機が進行方向に進むと、無理なく圃場の土を掘り上げて地表面を削りとることができる。
請求項３に係る発明は、深堀部材はそり部材に対して着脱可能としているため、深堀部材を装着して耕深を調整することができ、離脱してスキッドを従来と同じスキッド機能のみで使用することができる。
【００１０】
請求項４に係る発明は、そり部材にガイド部材を設けることで、圃場作物を傷つけることを防ぐことができる。
【図面の簡単な説明】
【００１１】
【図１】本発明の第１実施形態のスキッドを装着したロータリ耕耘機の側面図である。
【図２】同ロータリ耕耘機全体の断面背面図である。
【図３】図１におけるＡ−Ａ断面図である。
【図４】同スキッドの図であり、（ａ）は平面図、（ｂ）は側面図である。
【図５】本発明の第２実施形態を示すスキッドの図であり、（ａ）は平面図、（ｂ）は側面図である。
【図６】本発明の第３実施形態を示すスキッドの図であり、（ａ）は平面図、（ｂ）は側面図である。
【図７】本発明の第４実施形態を示すスキッドの図であり、（ａ）は平面図、（ｂ）は側面図である。
【図８】本発明の第５実施形態を示すスキッドの図であり、（ａ）は平面図、（ｂ）は側面図である。
【発明を実施するための形態】
【００１２】
以下、本発明の実施の形態を図面に基づいて説明する。
図１、２には、本発明のサイドドライブ式のロータリ耕耘機１０が示されており、トラクタ車体１００の後部に３点リンク機構１１を介して昇降可能に連結されている。
ロータリ耕耘機１０は、ギヤケース１２から左右側方にサポートアーム１４を突出し、この左右サポートアーム１４の外端に伝動ケース１６とサイドフレーム１８とを取付けてロータリ機枠１９を構成し、伝動ケース１６とサイドフレーム１８の下部に回転短軸２７を設け、両回転短軸２７間に爪軸９を連結している。
【００１３】
ロータリ機枠１９には左右支持ステー２０及びマスト２１が設けられ、左右支持ステー２０には３点リンク機構１１の左右一対のロアリンク２２の後端が連結され、マスト２１にはトップリンク２３が連結されている。
トラクタ車体のＰＴＯ軸２４からジョイント２５を介して入力軸２６に伝達される動力は、ギヤケース１２内のギヤ１３及び左サポートアーム１４内の伝動軸１５を介して伝動ケース１６内の伝動チェーン伝達手段１７により回転短軸２７及び爪軸９を駆動する。爪軸９には複数枚のフランジ２８を介して多数本の耕耘爪８が固定され、これらで耕耘部Ｋを形成しており、爪軸９は図１において矢印Ｘ方向に回転駆動する。
【００１４】
サイドフレーム１８及び伝動ケース１６には、このサイドフレーム１８と伝動ケース１６の各下方に設けるように（各下部を下方から覆うように）、スキッド１が上下位置調整自在にかつ着脱自在に取付けられている。
以下、本発明の第１実施形態について説明する。
図１〜４において、本発明の第１実施形態のスキッド１は、耕耘時に地表面に接地可能なそり部材２と、伝動ケース１６及びサイドフレーム１８にスキッド１を取付けるための取付ブラケット３とを有して構成されている。
【００１５】
前記そり部材２は、前後方向に長い一枚の板材で形成され、耕耘時に地表面に接地可能な平板状の接地面部５と、この接地面部５の前部で上方に反るように曲がった前反り部４とを有し、前記接地面部５は伝動ケース１６又はサイドフレーム１８の各下方に位置し、それらの下部を下方から覆う前後長さ及び幅を有している。サイドフレーム１８側のそり部材２は、サイドフレーム１８の外側下方に位置しても良い。
【００１６】
前記取付ブラケット３は、そり部材２の接地面部５の前後部から上方に突出する平板で形成され、この取付ブラケット３には、上下複数位置にボルト取付孔３ａが設けられ、ボルトＢで伝動ケース１６又はサイドフレーム１８の外側面に上下方向調整可能に固定されている。これにより、スキッド１は、伝動ケース１６及びサイドフレーム１８に対して上下位置調整自在に取付けられる。
【００１７】
そして、そり部材２の前反り部４の前部には、より深く掘削するための深堀部材６Ａが設けられている。この前反り部４の上部は前側の取付ブラケット３と連結されている。
深堀部材６Ａは、そり部材２とほぼ同一幅の平板を側面視への字状に屈曲して形成し、後上縁がそり部材２の前面に取付けられる取付部６ａと、この取付部６ａの前下縁から前下り傾斜して延出したすき部６ｂとから構成される。
【００１８】
この深堀部材６Ａのすき部６ｂは、そり部材２の前部よりも前方で、かつ、そり部材２
の接地面部５の下面より下方まで突出しており、後上がり傾斜面を形成しているので、耕耘時にそり部材２に先行して地表面の土を掘削し、かつ掘った土を後上方へ持ち上げることができる。
また、そり部材２の前部には、圃場作物を爪軸９の左右外側方へ案内するためのガイド部材７Ａが設けられている。
【００１９】
このガイド部材７Ａは、平板をそり部材２の耕耘部Ｋ側の端部から前方に突出し、この突出した前部でレの字状に屈曲して、耕耘部Ｋから離れる外側方へかつ後方へ延設して、後部が再度そり部材２に固着されている。
ガイド部材７Ａは前部から後部へ外向きに傾斜した傾斜面７ａを有するので、スキッド１が通る前方に圃場作物が存在すると、その圃場作物を図４（ａ）に矢印Ｙで示す方向、即ち、爪軸９の左右外側方へ案内し、圃場作物が耕耘部Ｋ側に入るのを規制できる。また、除草作業をする際に、スキッド１が横すべりをしても、背の高い圃場作物が耕耘爪８に巻き込まれて傷をつけてしまうことを防止できる。
【００２０】
前記第１実施形態のスキッド１によれば、耕耘作業する際にスキッド１が地表面に接地する前に、深堀部材６Ａのすき部６ｂが先行して地表面の土を削り、地表面より深くもぐり込みながら進行し、耕深を深くすると同時に、伝動ケース１６及びサイドフレーム１８の前方側の地表面を耕耘する。そして、ガイド部材７Ａは傾斜面７ａで圃場作物を外側方へ案内するとともに、深堀部材６Ａが掘り起こした土も外側方へ案内する
図５には、本発明の第２実施形態に係るロータリ耕耘機１０のスキッド１が示されている。この第２実施形態は、第１実施形態と深堀部材６Ｂの取付け状態が異なる。
【００２１】
第２実施形態では、深堀部材６Ｂは第１実施形態と同様にくの字状に屈曲して形成されているが、前後反転して取付部６ａの全面をそり部材２の前反り部４に溶接にて固定され、すき部６ｂが取付部６ａから前下り傾斜している。
前記深堀部材６Ｂは、すき部６ｂが第１実施形態と同様に、そり部材２の前部よりも前方で、かつ、そり部材２の接地面部５の下面より下方まで突出しており、取付部６ａの全面が前反り部４に固着されるので、強固な取付け構造になっている。
【００２２】
図６には、本発明の第３実施形態に係るロータリ耕耘機１０のスキッド１が示されている。この第３実施形態は、第２実施形態の深堀部材６Ｂと同一のくの字形状の深堀部材６Ｃが、そり部材２の前反り部４に着脱自在に固定され、ガイド部材７Ｃが着脱自在になっている。
図６（ｂ）に示すように、深堀部材６Ｃの取付部６ａに上下２箇所にスタッドボルトＳが突出するように取り付けられ、そり部材２の前反り部４の前部には、上下に２カ所以上の挿通孔４ａが設けられている。
【００２３】
深堀部材６ＣのスタッドボルトＳをそり部材２の挿通孔４ａに挿通してナットＮにより固定することで、深堀部材６Ｃがスキッド１に着脱自在に固定され、挿通孔４ａを３カ所以上に設けることにより、深堀部材６Ｃの上下位置を変更することができ、深耕の調整をすることができる。
ガイド部材７Ｃは、図６（ａ、ｂ）に示すように、ばね鋼製の棒材を側面視レの字状に形成したものであり、その基部は円くしてボルトＢを挿入しかつ前反り部４に着脱自在に固定され、前部は前反り部４の前方を横切る傾斜面７ａが形成されている。
【００２４】
このガイド部材７Ｃは、ばね鋼で形成することにより弾性変形が容易であり、圃場作物を柔軟に優しく案内できる。
図７には、本発明の第４実施形態に係るロータリ耕耘機１０のスキッド１が示されている。この第４実施形態は、深堀部材６Ｄが鋤形状であり、ガイド部材７Ｄが接地面部５まで設けられている。
【００２５】
深堀部材６Ｄは図７（ａ，ｂ）に示すように、板材を幅方向に折り曲げて先端先細りの平面視Ｖ字状でかつ先端縁が側面視円弧形状の鋤形状に形成され、この先端部がそり部材２よりも前方で、かつ、そり部材２の接地面部５より下方まで突出しており、小さな抵抗で地表面より深くもぐり込みながら進行し、耕深を深くするとともに、耕起した土を左右に排土することができる。
【００２６】
また、ガイド部材７Ｄは、鋼又はばね鋼の棒材の後下端をそり部材２の接地面部５に固着し、後下端から中途部までを接地面部５の外側縁と平行に配置し、中途部を前反り部４に当てがいかつくの字状に屈曲し、中途部から前上端まで前方へいくに従って耕耘部Ｋに近づく方向に傾斜して傾斜面７ａを形成している。
このガイド部材７Ｄは、棒材使用することで安価で製造することができ、圃場作物をそり部材２の後方まで案内することができる。前記傾斜面７ａは伝動ケース１６よりも耕耘部Ｋ側に突出させることも可能である。
【００２７】
図８には、本発明の第５実施形態に係るロータリ耕耘機１０のスキッド１が示されている。この第５実施形態は、図６に示す第３実施形態における深堀部材６Ｃに、図１〜４に示す第１実施形態のガイド部材７Ａを取付け、さらに、ガイド部材７Ａを補助する補助部材３０をそり部材２の前部側方に配置したものである。
深堀部材６Ｃは取付部６ａの背面にスタッドボルトＳが固着され、前面にガイド部材７Ａが固着されており、深堀部材６Ｃ及びガイド部材７Ａがそり部材２の前反り部４に着脱自在に取付けられている。
【００２８】
補助部材３０は、スターホイール３１とこのスターホイール３１を回転可能に支持する支持部材３２により構成され、支持部材３２は前反り部４に固定されており、スターホイール３１はガイド部材７Ａによって耕耘部Ｋ側から外側方へ案内されてくる圃場作物を、さらに外側方へスムーズに案内し、圃場作物の損傷をさらに防止するようにしている。
なお、本発明は前記第１〜第５実施形態における各部材の形状及びそれぞれの前後・左右・上下の位置関係は、図１〜８に示すように構成することが最良である。しかし、前記実施形態に限定されるものではなく、部材、構成を種々変形したり、組み合わせを変更したりすることもできる。
【００２９】
例えば、そり部材２は、前反り部４を割愛して接地面部５のみで形成し、その接地面部５の前部に深堀部材６及びガイド部材７を固着又は一体成形してもよい。
伝動ケース１６側のスキッド１とサイドフレーム１８側のスキッド１とは、左右幅が異なっていてもよく、それぞれの下部を下方から覆いかつロータリ耕耘機１０の左右を安定的に支持できる幅であればよい。
【符号の説明】
【００３０】
１      スキッド
２      そり部材
３      取付ブラケット
４      前反り部
５      接地面部
６      深堀部材
６ａ    取付部
６ｂ    すき部
７      ガイド部材
９      爪軸
１０    ロータリ耕耘機
１６    伝動ケース
１８    サイドフレーム
【図１】
2014226125.tif 000003
【図２】
2014226125.tif 000004
【図３】
2014226125.tif 000005
【図４】
2014226125.tif 000006
【図５】
2014226125.tif 000007
【図６】
2014226125.tif 000008
【図７】
2014226125.tif 000009
【図８】
2014226125.tif 000010